(57)【要約】【課題】１０Ｇｂｐｓでデータ伝送するデータ伝送システムに関し、光出力シャットダウンを行うことなくリンク障害発生を通知する。【解決手段】複数のネットワーク１０Ａ，１０Ｂ間を複数の伝送装置１２Ａ，１２Ｂを介して接続し、１０Ｇｂｐｓのデータ伝送速度でデータを伝送するデータ伝送システムであって、伝送装置１２Ａ，１２Ｂは、伝送路を介して対向して接続した伝送装置からのリンク障害発生によるＢＥＲ警報／ＬＯＦ警報／ＬＯＳ警報／ＳＦ警報の何れかを受信検出することにより、ローカルフォルトＬＦを生成してネットワーク側に送出する手段を備えている。【選択図】図１
2008219382.tif 000002
【特許請求の範囲】
【請求項１】
複数のネットワーク間を複数の伝送装置を介して接続し、１０Ｇｂｐｓのデータ伝送速度でデータを伝送するデータ伝送システムに於いて、
前記伝送装置は、前記伝送路を介して接続した対向伝送装置からのリンク障害発生によるＢＥＲ警報／ＬＯＦ警報／ＬＯＳ警報／ＳＦ警報の受信検出により、ローカルフォルトを生成して前記ネットワーク側へ送出する手段を備えた
ことを特徴とするデータ伝送システム。
【請求項２】
複数のネットワーク間を複数の伝送装置を介して接続し、１０Ｇｂｐｓのデータ伝送速度でデータを伝送するデータ伝送システムに於いて、
前記伝送装置は、前記伝送路を介して接続した対向伝送装置との間のリンク障害によるＢＥＲバック警報／ＬＯＦバック警報／ＬＯＳバック警報／ＳＦバック警報の受信検出により、ローカルフォルトを生成して前記ネットワーク側へ送出する手段を備えた
ことを特徴とするデータ伝送システム。
【発明の詳細な説明】
【技術分野】
【０００１】
本発明は、１０Ｇｂｐｓのデータ伝送速度或いはそれ以上のデータ伝送速度でデータ伝送を行うデータ伝送システムに関する。
【背景技術】
【０００２】
光信号によって１０Ｇｂｐｓの伝送速度でデータ伝送を行う各種のシステムが知られている。例えば、図９は、その一例の要部を示すもので、障害発生時の従来例の説明図であり、１００Ａ，１００Ｂは８０２．３ａｅや１０ギガビット・イーサネット（登録商標）と称される１０Ｇｂｐｓの伝送速度のネットワーク、１０１Ａ〜１０１Ｄは終端装置、１０２Ａ〜１０２Ｄは伝送装置を示し、ネットワーク１００Ａ，１００Ｂとの間を、終端装置１０１Ａと伝送装置１０２Ａ，１０２Ｂと終端装置１０１Ｂとを介した伝送経路と、終端装置１０１Ｃと伝送装置１０２Ｃ，１０２Ｄと終端装置１０１Ｄとを介した伝送経路とによって接続し、一方の伝送経路を現用系、他方の伝送経路を予備系とする。
【０００３】
ネットワーク１００Ａに接続した終端装置１０１Ａと、ネットワーク１００Ｂに接続した終端装置１０１Ｂ間との間の伝送経路を現用系として、ネットワーク１００Ａ，１００Ｂ間でデータ伝送している場合に、伝送装置１０２Ａ，１０２ＢのＮＴＷＫ（ネットワーク）側間の中継区間に於いて、×印で示すように、リンク断が発生した場合、伝送装置１０２ＢのＮＴＷＫ側の終端部に於いて受信光レベル低下によりリンク断発生を検出し、ＣＬＮＴ（クライアント）側の終端部にリンク断検出通知を行う。それにより、ＣＬＮＴ側は、黒丸印と×印とにより示すように、光出力シャットダウンを行って、終端装置１０１Ｂへリンク断発生を通知する。又伝送装置１０２Ｂは、伝送装置１０２Ａに対してリンク断発生を通知する。伝送装置１０２Ａは、このリンク断発生通知により、そのＣＬＮＴ側の黒丸印と×印とにより示すように、終端装置１００Ａに対して光出力シャットダウンを行って、中継区間のリンク断発生を通知する。終端装置１０１Ａ，１０１Ｂは、それぞれ伝送装置１０２Ａ，１０２ＢのＣＬＮＴ側の光出力シャットダウンを検出して、中継区間のリンク断発生を認識し、終端装置１０１Ｃ，１０１Ｄにそれぞれ通知することにより、ネットワーク１００Ａ，１００Ｂ間の伝送経路を、現用系から予備系に切替えることができる。
【０００４】
又強制的な光出力シャットダウンによるリンク断発生通知をできるだけ回避する為に、保守フレームを利用してリンク断発生通知を行う手段が提案されている。例えば、図９に於ける伝送装置１０２Ａ，１０２Ｂ間の中継区間に於いて、×印により示すリンク断が発生すると、伝送装置１０２Ｂ側でリンク断発生を検出し、終端装置１０１Ｂに対して、光出力シャットダウンを行い、又中継区間を介して対向接続されている伝送装置１０２Ａに対しては、保守フレームにより強制リンク断開始を通知する。この強制リンク断開始通知を受信した伝送装置１０２Ａは、終端装置１０１Ａに対する強制リンク断を行わないように制御するシステム及び制御方法が提案されている（例えば、特許文献１参照）。
【特許文献１】特開２００５−３３６６５号公報
【発明の開示】
【発明が解決しようとする課題】
【０００５】
リンク断等の障害発生検出時に、光出力シャットダウンにより障害発生を通知する従来例に於いては、比較的簡単な制御処理により通知することができるが、光出力シャットダウンは、光モジュールの半導体レーザ等の発光源の動作を停止させることにより行うものであり、光出力シャットダウン開始により、光モジュールの光出力は瞬間的に零レベルに低下するものではなく、少なくとも１００μｓ程度の時間を要する。統一規格に準拠した光出力シャットダウン時間は、最大で１１０μｓ（１，６１８フレーム分）としている。同様に、光モジュールの動作開始時に於いても、光出力レベルが所定のレベルに上昇する為には、同様な期間を要するものである。従って、光出力シャットダウンによるリンク障害通知に要する時間が長くなり、同様に、障害回復通知に要する時間が長くなる問題がある。
【０００６】
又光モジュールとしては、３００ｐｉｎ，ＸＥＮＰＡＫ，Ｘ２，ＸＦＰ等の形式名が知られており、それらの中のＸＦＰは、１０Ｇｂｐｓの電気信号を直接光信号に変換可能のものであるが、光出力レベルが、強制シャットダウンから回復させる場合、６０ｓ程度を要するものである。即ち、強制シャットダウンを行ってから、元の状態に復帰させるまでの時間が、１０Ｇｂｐｓを超える高速伝送の場合にデータ損失が大きくなる問題がある。更に、光モジュールは、電気的並びに機械的な衝撃に対して脆弱であり、又動作開始と動作停止との繰り返しにより、特性劣化が進行する問題がある。
【０００７】
本発明は、前述の従来の問題点を解決するものであり、１０Ｇｂｐｓのような高速伝送路の障害発生を迅速に通知可能とすることを目的とする。
【課題を解決するための手段】
【０００８】
本発明のデータ伝送システムは、複数のネットワーク間を複数の伝送装置を介して接続し、１０Ｇｂｐｓのデータ伝送速度でデータを伝送するデータ伝送システムに於いて、前記伝送装置は、前記伝送路を介して接続した対向伝送装置からのリンク障害発生によるＢＥＲ警報／ＬＯＦ警報／ＬＯＳ警報／ＳＦ警報の受信検出により、ローカルフォルトを生成して前記ネットワーク側に送出する手段を備えている。
【０００９】
又複数のネットワーク間を複数の伝送装置間を介して接続し、１０Ｇｂｐｓのデータ伝送速度でデータを伝送するデータ伝送システムに於いて、前記伝送装置は、前記伝送路を介して接続した対向伝送装置との間のリンク障害によるＢＥＲバック警報／ＬＯＦバック警報／ＬＯＳバック警報／ＳＦバック警報の受信検出により、ローカルフォルトを生成して前記ネットワーク側へ送出する手段を備えている。
【発明の効果】
【００１０】
ビットエラーレート増大によるＢＥＲ警報、フレーム同期損失によるＬＯＦ警報、信号損失によるＬＯＳ警報、フレーム欠損によるＳＦ警報よるリンク障害発生の通知、又はＢＥＲバック警報、ＬＯＦバック警報、ＬＯＳバック警報、ＳＦバック警報によるリンク障害発生の通知により、ローカルフォルトＬＦを生成して送出することにより、光出力シャットダウンによるリンク障害発生を通知する場合に比較して、高速で対向装置側へ通知することが可能となり、且つ光出力シャットダウンを行わないことにより、光モジュールの動作安定化と長寿命化とを図ることができる。
【発明を実施するための最良の形態】
【００１１】
本発明のデータ伝送システムは、図１を参照して説明すると、複数のネットワーク１０Ａ，１０Ｂ間を複数の伝送装置１２Ａ，１２Ｂを介して接続し、１０Ｇｂｐｓのデータ伝送速度でデータを伝送するデータ伝送システムであって、伝送装置１２Ａ，１２Ｂは、伝送路を介して接続した対向伝送装置からのリンク障害発生によるＢＥＲ警報／ＬＯＦ警報／ＬＯＳ警報／ＳＦ警報の受信検出により、ローカルフォルトＬＦを生成してネットワーク側に送出する手段を備えている。
【実施例１】
【００１２】
図１は、本発明の実施例１の説明図であり、１０Ａ，１０Ｂは１０Ｇイーサネット（登録商標）等の１０Ｇｂｐｓ又はそれ以上の伝送速度のネットワーク、１１Ａ〜１１Ｄは終端装置、１２Ａ〜１２Ｄは伝送装置、１３Ａ〜１３Ｄはクライアント側の終端部を示し、伝送装置１２Ａ〜１２Ｄの終端部１３Ａ〜１３Ｄとネットワーク１０Ａ，１０Ｂの終端装置１１Ａ〜１１Ｄとの間と、伝送装置１２Ａ，１２Ｂ間と、伝送装置１２Ｃ，１２Ｄ間とはそれぞれ光伝送路により接続し、ネットワーク１０Ａ，１０Ｂと同様の伝送速度でデータ伝送を行う構成を有するものである。
【００１３】
又リンク障害通知ＬＦＳ（Ｌｉｎｋ  Ｆａｕｌｔ  Ｓｉｇｎａｌｉｎｇ）は、リンク断発生検出により、データの流れの下流側へローカルフォルトＬＦ（Ｌｏｃａｌ  Ｆａｕｌｔ）を連続的に送信し、このＬＦを受信すると、リモートフォルトＲＦ（Ｒｅｍｏｔｅ  Ｆａｕｌｔ）を連続的に返送して通知するもので、この場合のＬＦコードを３回連続して受信することにより、リンク断発生を認識する。その場合の所要時間は、１０Ｇｂｐｓの伝送速度に於いては、約１０ｎｓである。又ＬＦコードによりリンク断解除を行う場合は、正常コードを１２８回連続受信した場合であり、その場合の所要時間は、約４１０ｎｓである。
【００１４】
そこで、図１に於いては、例えば、伝送装置１２Ｂの終端部１３Ｂに於いて、終端装置１１Ｂからのデータを受信して、何らかのリンク障害により、（１）ＢＥＲ（Ｂｉｔ  Ｅｒｒｏｒ  Ｒａｔｅ）検出として示すように、伝送ビットエラーレートが所定値の例えば１０−１２以上となったことを検出すると、終端部１３Ｂは、（２）ＢＥＲ発生通知として示すように、伝送路を介した対向伝送装置１２ＡにＢＥＲ警報を通知し、且つ（３）ＲＦ送出として示すように、ネットワーク１０Ｂの終端装置１１ＢにＲＦを生成して送出する。又（４）回線切替として示すように、回線切替処理を開始する。又伝送装置１２Ａは、伝送装置１２ＢからのＢＥＲ警報を受信検出すると、（５）ＬＦ生成＋送出として示すように、終端部１３Ａからネットワーク１０Ａ側の終端装置１１ＡへＬＦを送出し、（６）回線切替として示すように、終端装置１１Ｃに回線切替えを通知し、（７）ＲＦ送出として示すように、伝送装置１２Ａの終端部１３ＡにＲＦを送出する。
【００１５】
それにより、終端装置１１Ａ，１１Ｂ間の現用系の伝送経路を、終端装置１１Ｃ，１１Ｄ間の予備系の伝送経路に切替えて、ネットワーク１０Ａ，１０Ｂ間のデータ伝送を継続することができる。前述のように、リンク障害による伝送ビットエラーレートの増大を検出し、対向装置にＢＥＲ警報を通知し、対向伝送装置は、光出力シャットダウンを行うことなく、ＬＦを生成してリンク障害発生を通知するから、リンク障害発生を迅速に通知し、それにより、ネットワーク１０Ａ，１０Ｂ間の現用系から予備系への伝送経路の切替えを迅速に行うことができる。
【００１６】
図２は、伝送装置の要部構成と、ＣＬＮＴ側でＬＯＳ（Ｌｏｓｓ  ｏｆ  Ｓｉｇｎａｌ）／ＬＯＦ（Ｌｏｓｓ  ｏｆ  Ｆｒａｍｅ）／ＢＥＲ（Ｂｉｔ  Ｅｒｒｏｒ  Ｒａｔｅ）／ＳＦ（Ｓｈｏｒｔ  Ｆｒａｍｅ）の何れか一つ障害状態及び障害通知を検出した場合に、リンク障害発生通知の為に、ＬＦ／ＲＦを生成して送出する場合の説明図であり、１２は伝送装置、２１はＣＬＮＴ側の終端部、２２は主信号処理部、２３はＮＴＷＫ側の終端部、２４は監視・制御部、２５，２７は物理層終端部、２６，２８はＭＡＣ終端部を示す。ＣＬＮＴ側の終端部２１は、図１に於ける終端装置１１Ａ〜１１Ｄの何れかに接続する側の終端部であり、ＮＴＷＫ側の終端部２３は、対向伝送装置と伝送路を介して接続する側の終端部である。又監視・制御部２４は、各部を制御するものである。
【００１７】
終端部２１，２３の物理層終端部２５，２８は、ＣＬＮＴ側及びＮＴＷＫ側の送受信処理を行い、ＭＡＣ終端部２６，２７は、ＬＦ又はＲＦの生成機能を有するものであり、監視・制御部２４は、受信検出結果に従って、矢印方向の制御処理を行う機能を有する場合を示す。例えば、ＣＬＮＴ側の物理層終端部２５に於いて、ＬＯＳ／ＬＯＦ／ＢＥＲ／ＳＦの何れかの受信検出を監視・制御部２４に通知すると、監視・制御部２４は、ＭＡＣ終端部２７に通知して、ＬＦの生成と送出とを指示する。それにより、ＮＴＷＫ側の物理層終端部２７は、ＬＦを生成し、物理層終端部２８から送出することになる。
【００１８】
図３は、図２と同一構成の伝送装置の要部を示すもので、図２に示す場合と処理の流れが異なる場合の説明図であり、ＮＴＷＫ側の終端部２３の物理層終端部２８に於いてＬＯＳ／ＬＯＦ／ＢＥＲ／ＳＦを受信検出すると、監視・制御部２４に通知し、監視・制御部２４は、ＣＬＮＴ側の終端部２１のＭＡＣ終端部２６に通知し、ＭＡＣ終端部２６はＬＦを生成して、ＣＬＮＴ側の物理層終端部２５からＬＦを送出する。
【００１９】
図４は、ＬＯＦ警報受信時の動作の説明図であり、図１と同一符号は同一部分を示す。伝送装置１２Ｂの終端部１３Ｂに於いて、終端装置１１Ｂとの間のリンク障害により、（１）ＬＯＦ検出として示すように、ＬＯＦ検出により、（２）ＬＯＦ発生通知として示すように、伝送路を介して接続された対向伝送装置１２Ａに対してＬＯＦ警報を通知すると共に、（３）ＲＦ送出として示すように、ネットワーク１０Ｂ側の終端装置１１Ｂに対してＲＦを生成して送出し、（４）回線切替として示すように、回線切替えを開始する。又伝送装置１２Ａは、伝送装置１２ＢからのＬＯＦ警報を受信検出することにより、（５）ＬＦ生成＋送出として示すように、終端部１３Ａからネットワーク１０Ａ側の終端装置１１ＡにＬＦを生成して送出する。又終端装置１１Ａは、（６）回線切替として示すように、回線切替えを開始する。それにより、ネットワーク１０Ａ，１０Ｂ間の伝送経路を現用系から予備系に切替えることができる。従って、リンク障害発生によるＬＯＦ検出時に、光出力シャットダウンを行うことなく、ＬＦを利用して、対向装置にリンク障害発生を迅速に通知することができる。
【００２０】
図５は、ＬＯＳ警報受信時の動作説明図であり、図１と同一符号は同一部分を示す。伝送装置１２Ｂの終端部１３Ｂに於いて、（１）ＬＯＳ検出として示すように、リンク障害の一つとしてのＬＯＳ検出により、（２）ＬＯＳ発生通知として示すように、伝送装置１２Ａに対してＬＯＳ警報を創出する。又（３）ＲＦ送出として示すように、終端装置１１Ｂに対してＲＦを送出し、（４）回線切替として示すように、回線切替えを開始する。又伝送装置１１Ａは、ＬＯＳ警報を受信検出して、（５）ＬＦ送出として示すように、終端装置１１Ａに対してＬＦを送出する。終端装置１１Ａは、（６）回線切替として示すように、回線切替えを開始し、伝送装置１２Ａに対して、（７）ＲＦ送出として示すように、ＲＦを送出する。この場合、終端装置１１Ｂは、ＲＦ受信検出により回線切替えを開始し、終端装置１１Ａは、ＬＦ受信検出により回線切替えを開始して、現用系の伝送経路から予備系の伝送経路に切替えて、ネットワーク１０Ａ，１０Ｂ間のデータ伝送を継続することができる。
【００２１】
図６は、ＳＦバック警報受信時の動作説明図であり、図１と同一符号は同一部分を示す。伝送装置１２Ａに於いて、（１）ＳＦ検出として示すように、リンク障害の一つとしてのＳＦ検出により、伝送装置１２Ｂに対して、（２）ＳＦ発生通知として示すように、ＳＦ発生を通知する。伝送装置１２Ｂは、（３）ＳＦのバック警報検出として示すように、伝送装置１２ＡからのＳＦバック警報として受信検出すると、その終端部１３Ｂから終端装置１１Ｂに対して、（４）ＬＦ生成＋送出として示すように、ＬＦを生成して送出する。このＬＦを受信した終端装置１１Ｂは、ＲＦを伝送装置１２Ｂの終端部１３Ｂに送出し、（５）ＲＦ検出として示すように、終端部１３ＢはＲＦを受信検出し、（６）回線切替として示すように、回線切替えを開始する。又伝送装置１２Ａは、伝送装置１２Ｂに対するＳＦ発生通知と共に、終端装置１１Ａに対して、（４）ＬＦ生成＋送出として示すように、ＬＦを生成して送出する。終端装置１１Ａは、伝送装置１２ＡからのＬＦ受信により、（６）回線切替として示すように、回線切替えを開始する。それにより、リンク障害によるＳＦ検出により、光出力シャットダウンを行うことなく、ＬＦを利用して迅速に通知し、現用系から予備系に伝送経路を切替えて、ネットワーク１０Ａ，１０Ｂ間のデータ伝送を継続することができる。
【００２２】
図７は、ＬＯＦバック警報受信時の動作説明図であり、図１と同一符号は同一部分を示し、伝送装置１２Ａに於いて、（１）ＬＯＦ検出として示すように、ＬＯＦを検出すると、（２）ＬＯＦ発生通知として示すように、伝送装置１２ＢにＬＯＦ発生を通知する。伝送装置１２Ｂは、（３）ＬＯＦのバック警報検出として示すように、伝送装置１２ＡからのＬＯＦ発生通知を受信検出すると、（４）ＬＦ生成＋送出として示すように、その終端部１３Ｂから終端装置１１ＢにＬＦを送出する。又終端装置１１Ｂは、伝送装置１２Ｂに対してＲＦを送信し、（５）ＲＦ検出として示すように、終端装置１１ＢはＲＦを受信検出し、又（６）回線切替として示すように、回線切替えを開始する。又伝送装置１１Ａは、（４）ＬＦ生成＋送出として示すように、ＬＯＦ検出により、ＬＦを生成して終端装置１１Ａに送出し、（６）回線切替として示すように、回線切替えを開始する。それにより、現用系から予備系に伝送経路を切替えて、ネットワーク１０Ａ，１０Ｂ間のデータ伝送を継続することができる。
【００２３】
図８は、ＬＯＳバック警報受信時の動作説明図であり、図１と同一符号は同一部分を示す。伝送装置１２Ａに於いて、（１）ＬＯＳ検出として示すように、ＬＯＳを検出すると、（２）ＬＯＳ発生通知として示すように、伝送装置１２ＢにＬＯＳ発生を通知する。伝送装置１２Ｂは、（３）ＬＯＳのバック警報検出として示すように、伝送装置１２ＡからのＬＯＳ発生通知を受信検出し、（４）ＬＦ生成＋送出として示すように、ＬＦを生成して終端装置１１Ｂへ送出する。終端装置１１Ｂは、ＲＦを生成して伝送装置１２Ｂへ送出する。伝送装置１２Ｂは、（５）ＲＦ検出として示すように、終端装置１１ＢからのＲＦを受信検出し、（６）回線切替として示すように、回線切替えを開始する。又伝送装置１２Ａは、終端装置１１Ａに対して、（４）ＬＦ生成＋送出として示すように、ＬＦを生成して創出し、終端装置１１Ａは、伝送装置１２Ａに対して、ＲＦを送出し、伝送装置１２Ａは、（５）ＲＦ検出として示すように、終端装置１１ＡからのＲＦを受信検出し、（６）回線切替として示すように、回線切替えを開始する。それにより、現用系から予備系に伝送経路を切替えて、ネットワーク１０Ａ，１０Ｂ間のデータ伝送を継続することができる。
【００２４】
又前述のＬＯＳ／ＬＯＦ／ＢＥＲ／ＳＦの何れかのリンク障害による警報及びバック警報を受信検出して、ＬＦを生成してリンク障害発生を通知する場合に、前述の総てのリンク障害発生時に通知することもできるが、予めリンク障害発生通知の有効、無効をリンク障害の種類対応に設定し、有効設定のリンク障害発生を検出した場合に、前述のように、ＬＦと共にＲＦによるリンク障害発生を通知する構成とすることも可能である。
【図面の簡単な説明】
【００２５】
【図１】本発明の実施例１の説明図である。
【図２】本発明の実施例１の伝送装置の構成と処理動作の説明図である。
【図３】本発明の実施例１の伝送装置の構成と処理動作の説明図である。
【図４】本発明の実施例１のＬＯＦ警報受信時の動作説明図である。
【図５】本発明の実施例１のＬＯＳ警報受信時の動作説明図である。
【図６】本発明の実施例１のＳＦバック警報受信時の動作説明図である。
【図７】本発明の実施例１のＬＯＦバック警報受信時の動作説明図である。
【図８】本発明の実施例１のＬＯＳバック警報受信時の動作説明図である。
【図９】従来例の説明図である。
【符号の説明】
【００２６】
１０Ａ，１０Ｂ  ネットワーク
１１Ａ〜１１Ｄ  終端装置
１２Ａ〜１２Ｄ  伝送装置
１３Ａ〜１３Ｄ  終端部
１２  伝送装置
２１，２３  終端部
２２  主信号処理部
２４  監視・制御部
２５，２８  物理層終端部
２６，２７  ＭＡＣ終端部
【図１】
2008219382.tif 000003
【図２】
2008219382.tif 000004
【図３】
2008219382.tif 000005
【図４】
2008219382.tif 000006
【図５】
2008219382.tif 000007
【図６】
2008219382.tif 000008
【図７】
2008219382.tif 000009
【図８】
2008219382.tif 000010
【図９】
2008219382.tif 000011